(57)【要約】  電気通信システムのためのハイブリッド・ケーブルが開示される。本発明によるハイブリッド・ケーブルは、ハイブリッド・ケーブルの主要本体部分の外装部材および外側ジャケット内で延び、ハイブリッド・ケーブルの終端部分において外装部材および外側ジャケットの外に延びる複数の光ファイバ・ケーブルおよび電力ケーブルを含むことができる。ハイブリッド・ケーブルの終端部分で電力ケーブルに電気的シールドを施すために、シールド・チューブ・アセンブリを終端部分の電力ケーブルに取り付けることができる。シールド・チューブ・アセンブリは、シールド・チューブ・アセンブリを電気的に接地するために外装部材に取り付けることができる。ハイブリッド・ケーブルを構成する方法も開示される。
2016532255.tif 000002
【特許請求の範囲】
【請求項１】
ハイブリッド・ケーブルであって、
主要本体部分と、
前記ハイブリッド・ケーブルをデバイスに接続するための、前記ハイブリッド・ケーブルの端部で前記主要本体部分に隣接する終端部分と、
前記主要本体部分において延びる導電性外装部材と、
前記主要本体部分において前記導電性外装部材のまわりに配設された外側ジャケットと、
ＲＦ信号を送信するように構成された１つまたは複数の対の光ファイバ・ケーブルであり、前記主要本体部分の全体にわたって前記導電性外装部材および前記外側ジャケット内で延び、前記終端部分において前記導電性外装部材および前記外側ジャケットの外に延びる、１つまたは複数の対の光ファイバ・ケーブルと、
電力信号を送信するように構成された１つまたは複数の対の電力ケーブルであり、前記主要本体部分の全体にわたって前記導電性外装部材および前記外側ジャケット内で延び、前記終端部分において前記導電性外装部材および前記外側ジャケットの外に延びる、１つまたは複数の対の電力ケーブルと、
前記終端部分における１つまたは複数のシールド・チューブ・アセンブリであり、各シールド・チューブ・アセンブリが、それぞれの対の電力ケーブルに取り付けられ、前記それぞれの対の電力ケーブルを電気的にシールドするように構成され、各シールド・チューブ・アセンブリが、前記外装部材に電気的に接地される、１つまたは複数のシールド・チューブ・アセンブリと、
を含む、ハイブリッド・ケーブル。
【請求項２】
各シールド・チューブ・アセンブリが、
前記それぞれの対の電力ケーブルのまわりに配設されたサポート・チューブと、
前記サポート・チューブのまわりに配設された第１の導電性シールド部材と、
前記第１の導電性シールド部材のまわりに配設された第２の導電性シールド部材と、
前記第２の導電性シールド部材のまわりに配設されたジャケット部材と、
を含む、請求項１に記載のハイブリッド・ケーブル。
【請求項３】
前記第２の導電性シールド部材が、前記外装部材に取り付けられ、それによって、前記シールド・チューブ・アセンブリを電気的に接地する、請求項２に記載のハイブリッド・ケーブル。
【請求項４】
第２の導電性シールド部材が編組を含む、請求項３に記載のハイブリッド・ケーブル。
【請求項５】
前記第２の導電性シールド部材が編組を含み、
前記編組が、該編組および前記外装部材のまわりに巻かれた少なくとも１つの導電性ワイヤによって前記外装部材に取り付けられ、それによって、前記シールド・チューブ・アセンブリを電気的に接地する、請求項３に記載のハイブリッド・ケーブル。
【請求項６】
前記それぞれの対の電力ケーブルが、前記第２の導電性シールド部材の側壁の孔を通って延び、その後、前記側壁内のスペースを通って前記サポート・チューブ中に延びる、請求項３に記載のハイブリッド・ケーブル。
【請求項７】
前記第１の導電性シールド部材がアルミニウムで構成され、前記第２の導電性シールド部材がスズ−銅で構成される、請求項２に記載のハイブリッド・ケーブル。
【請求項８】
前記第１の導電性シールド部材がアルミホイルを含み、前記第２の導電性シールド部材がスズ−銅編組を含む、請求項２に記載のハイブリッド・ケーブル。
【請求項９】
前記主要本体部分のすぐ隣りの前記終端部分のセクションにおいて、前記外側ジャケットの端部に取り付けられ、前記１つまたは複数の対の光ファイバ・ケーブルおよび前記１つまたは複数の対の電力ケーブルのまわりに配設されたブーツを含み、各シールド・チューブ・アセンブリの一部分が前記ブーツのそれぞれのポートに固定される、請求項１に記載のハイブリッド・ケーブル。
【請求項１０】
ハイブリッド・ケーブルを構成する方法であって、
主要本体部分において延びるように導電性外装部材を配列するステップと、
前記主要本体部分において前記導電性外装部材のまわりに外側ジャケットを配列するステップと、
前記主要本体部分の全体にわたって前記導電性外装部材および前記外側ジャケット内で延び、前記主要本体部分に隣接する前記ハイブリッド・ケーブルの終端部分において前記導電性外装部材および前記外側ジャケットの外に延びるように１つまたは複数の対の光ファイバ・ケーブルを配列するステップと、
前記主要本体部分の全体にわたって前記導電性外装部材および前記外側ジャケット内で延び、前記終端部分において前記導電性外装部材および前記外側ジャケットの外に延びるように１つまたは複数の対の電力ケーブルを配列するステップと、
それぞれの対の電力ケーブルを電気的にシールドするために各シールド・チューブ・アセンブリをそれぞれの対の電力ケーブルに取り付けることによって、前記１つまたは複数のシールド・チューブ・アセンブリを前記終端部分に配列するステップと、
各シールド・チューブ・アセンブリを前記外装部材に電気的に接地するステップと、
を含む、方法。
【発明の詳細な説明】
【背景技術】
【０００１】
知られているハイブリッド・ケーブルには、単一の外側ケーブル・ジャケット内に複数の電気通信光ファイバ・ケーブルと複数の電力ケーブルとが含まれる。そのようなハイブリッド・ケーブルは、基地局（ＢＴＳ／ＮｏｄｅＢ／ｅＮｏｄｅＢ）をトランシーバまたはリモート無線ヘッド（ＲＲＨ）に接続するための、セルラシステムのフィーダ・ケーブルとして使用され、それによって、電力をＲＲＨに供給し、ＲＲＨへのおよびＲＲＨからの無線周波数（ＲＦ）信号伝送をサポートすることができる。
【０００２】
図１は、従来のハイブリッド・ケーブル１を示す。ケーブル１は、ハイブリッド・ケーブル１の端部において、主要本体部分１ａと、主要本体部分１ａに隣接する終端部分１ｂとを含む。終端部分１ｂは、例えば、ハイブリッド・ケーブル１をトランシーバまたはＲＲＨ（図示せず）に接続するために使用することができる。別の終端部分（図示せず）は、例えば、ハイブリッド・ケーブル１を基地局に接続するためにハイブリッド・ケーブル１の反対側の端部（図示せず）に設けることができる。
【０００３】
引き続き図１を参照すると、ハイブリッド・ケーブル１は、第１の光ファイバ・ケーブル１２および第２の光ファイバ・ケーブル１４を含む複数の光ファイバ・ケーブル対１０と、第１の極性の第１の電力ケーブル２２および第２の極性の第２の電力ケーブル２４を含む複数のＤＣ電力ケーブル対２０とを含む。ハイブリッド・ケーブル１の主要本体部分１ａにおいて、光ファイバ・ケーブル対１０および電力ケーブル対３０は、主要ジャケット２内に配設される。複数の光ファイバ・ケーブル１０は、さらに、主要ジャケット２の内側の光ファイバ・ケーブル・ジャケットまたはチャネル６内に保持される。外装部材４が、主要本体部分１ａの全体にわたって主要ジャケット２内に配設され、光ファイバ・ケーブル・ジャケットまたはチャネル６、および電力ケーブル対２０を囲む。
【０００４】
終端部分１ｂは、主要本体部分１ａに隣接する移行セクションＴを含み、移行セクションＴは、主要本体部分１ａと終端部分１ｂとの間の保護移行領域を形成する。外装部材４は移行セクションＴの途中で終端する。光ファイバ・ケーブル対１０および電力ケーブル対２０は、外装部材４が終端する区域から外装部材４を越えて軸方向に延びる。第１の主要ブレイクアウト・ブーツ３０は、ハイブリッド・ケーブル１の主要本体部分１ａの端部で外側ジャケット２に取り付けることができ、移行セクションＴにおいて外装部材４、光ファイバ・ケーブル対１０、および電力ケーブル対２０を覆うことができる。主要ブレイクアウト・ブーツ３０は１つまたは複数の開口３２を画定し、それを通って、光ファイバ・ケーブル対１０および電力ケーブル対２０は、ハイブリッド・ケーブル１の終端部分１ｂで主要ジャケット２、外装部材４、および主要ブレイクアウト・ブーツ３０の外に延びる。電力ケーブル対２０は、ハイブリッド・ケーブル１の終端部分１ｂで互に別個に延びる。第２の光ファイバ・ケーブル・ブレイクアウト・ブーツ４０は、終端部分１ｂにおいて主要ブレイクアウト・ブーツ３０の開口３２の外で光ファイバ・ケーブル・ジャケット６の端部に取り付けることができる。第２のブレイクアウト・ブーツ４０は１つまたは複数の開口４２を含むことができ、それを通って、光ファイバ・ケーブル対１０は、光ファイバ・ケーブル・ジャケットまたはチャネル６の外に互いに別個に延びる。
【０００５】
光ファイバ・コネクタ５０は、各光ファイバ・ケーブル対１０をＲＲＨに接続するために、ハイブリッド・ケーブル１の端部部分１ｂで各光ファイバ・ケーブル１０の端部に取り付けることができる。電力ケーブル対２０の各々は、ハイブリッド・ケーブル１の端部部分１ｂで、それぞれの電力ケーブルコネクタ（図示せず）によってＲＲＨに接続することができる。追加のシールドおよび接地構成要素（図示せず）が、ハイブリッド・ケーブル１の終端部分１ｂで電力ケーブル対２０の各々に追加され得る。
【０００６】
ハイブリッド・ケーブル１の終端部分１ｂで電力ケーブル対２０の各々に追加される追加のシールドは、ハイブリッド・ケーブル１の全体にわたって完全なシールドおよび接地を維持するために外装部材４を追加のシールドに連結することに関連する難題を提示する。この問題への１つの既存の解決策は、電力ケーブル対２０の全長にわたって個別にシールドされる電力ケーブル対２０を使用することである。しかしながら、そのような全長のシールドを設けるのは、高価であり、ハイブリッド・ケーブル１にかなりの重量を付加し、ハイブリッド・ケーブル１のサイズ（直径）を増加させ、ハイブリッド・ケーブル１の生産にかなり大きい費用を付加する。
【０００７】
終端部分１ｂで外装部材４を追加のシールドに連結するという問題への代替の既存の解決策は、終端部分１ｂのシールド構成要素を外装部材４に溶接接続により接合することである。しかしながら、この解決策は、異なる金属の溶接を必要とし、熱に敏感な光ファイバ・ケーブル１２、１４を大量の熱にさらす。
【０００８】
上述にかんがみて、電力ケーブルの効果的なシールドおよび接地を備えている光電気ハイブリッド・ケーブルを提供することが望ましく、ここで、電力ケーブルがハイブリッド・ケーブルの主要ジャケットの外に延びる。ハイブリッド・ケーブルのサイズ、重量、およびコストを最小にするために最小量の追加のシールド材料を使用してそのようなハイブリッド・ケーブルを提供することがさらに望ましい。
【発明の概要】
【課題を解決するための手段】
【０００９】
本開示は、例えば、セルラ電気通信ネットワークにおいて基地局（ＢＴＳ／ＮｏｄｅＢ／ｅＮｏｄｅＢ）をトランシーバまたはリモート無線ヘッド（ＲＲＨ）に接続するために使用することができる改善されたハイブリッド・ケーブルに関する。開示されるハイブリッド・ケーブルは、ハイブリッド・ケーブルの終端部分で電力ケーブルをシールドし、ハイブリッド・ケーブルの終端部分でシールド構成要素を接地するための改善された構造を含む。本開示は、ハイブリッド・ケーブルを構成する方法をさらに提供する。
【００１０】
本発明の一実施形態によれば、ハイブリッド・ケーブルは、主要本体部分と、ハイブリッド・ケーブルをデバイスに接続するための、ハイブリッド・ケーブルの端部で主要本体部分に隣接する終端部分とを含むことができる。ハイブリッド・ケーブルは、主要本体部分において延びる導電性外装部材と、主要本体部分において導電性外装部材のまわりに配設された外側ジャケットとを含むことができる。ハイブリッド・ケーブルは、ＲＦ信号を送信するように構成された１つまたは複数の対の光ファイバ・ケーブルと、電力信号を送信するように構成された１つまたは複数の対の電力ケーブルとを含むことができる。１つまたは複数の光ファイバ・ケーブルおよび１つまたは複数の電力ケーブルは、主要本体部分の全体にわたって導電性外装部材および外側ジャケット内で延びることができ、終端部分において導電性外装部材および外側ジャケットの外に延びることができる。ハイブリッド・ケーブルは、終端部分において１つまたは複数のシールド・チューブ・アセンブリをさらに含むことができる。各シールド・チューブ・アセンブリは、それぞれの対の電力ケーブルに取り付けることができ、それぞれの対の電力ケーブルを電気的にシールドするように構成することができる。各シールド・チューブ・アセンブリは、外装部材に電気的に接地することができる。
【００１１】
別の実施形態によれば、ハイブリッド・ケーブルを構成する方法が提供される。この方法は、主要本体部分において延びるように導電性外装部材を配列するステップと、主要本体部分において導電性外装部材のまわりに外側ジャケットを配列するステップと、主要本体部分の全体にわたって導電性外装部材および外側ジャケット内で延び、主要本体部分に隣接するハイブリッド・ケーブルの終端部分において導電性外装部材および外側ジャケットの外に延びるように１つまたは複数の対の光ファイバ・ケーブルを配列するステップと、主要本体部分の全体にわたって導電性外装部材および外側ジャケット内で延び、終端部分において導電性外装部材および外側ジャケットの外に延びるように１つまたは複数の対の電力ケーブルを配列するステップとを含むことができる。この方法は、それぞれの対の電力ケーブルを電気的にシールドするために各シールド・チューブ・アセンブリをそれぞれの対の電力ケーブルに取り付けることによって、１つまたは複数のシールド・チューブ・アセンブリを終端部分に配列するステップを含むことができる。この方法は、各シールド・チューブ・アセンブリを外装部材に電気的に接地するステップをさらに含むことができる。
【００１２】
本発明の追加の特徴および利点は、以下の詳細な説明および添付図面に基づいて当業者には明らかであろう。
【図面の簡単な説明】
【００１３】
【図１】従来のハイブリッド・ケーブルの分解部分断面図である。
【図２】本発明の一実施形態によるハイブリッド・ケーブルの分解部分断面図であり、ハイブリッド・ケーブルの光ファイバ・ケーブル構成要素の詳細図である。
【図３】本発明の一実施形態によるハイブリッド・ケーブルの分解部分断面図であり、ハイブリッド・ケーブルの電力ケーブル構成要素の詳細図である。
【図４】ハイブリッド・ケーブルの主要ブレイクアウト・ブーツの出口領域の近くで光ファイバ・ケーブルおよび電力ケーブルにより得られた断面におけるハイブリッド・ケーブルの上面断面図である。
【図５】主要ブレイクアウト・ブーツの斜視図である。
【図６】ハイブリッド・ケーブルの終端領域における電力ケーブル用のシールドおよび接地アセンブリを示す図である。
【発明を実施するための形態】
【００１４】
以下の説明は、例示的なハイブリッド・ケーブルを開示している。ハイブリッド・ケーブルは、例えば、セルラ電気通信ネットワークにおいてリモート無線ヘッド（ＲＲＨ）を基地局（ＢＴＳ／ＮｏｄｅＢ／ｅＮｏｄｅＢ）に接続するために使用することができる。しかしながら、本明細書で説明するケーブルは、本発明の例示的な実施形態を単に示しており、特定の実施形態の変形が本発明の範囲内で可能であることを理解されたい。それに加えて、本開示によるハイブリッド・ケーブルは、ＲＲＨおよび基地局以外の装置またはデバイスにつながるために使用することができ、さらに、セルラ電気通信ネットワーク以外の用途で使用することができる。
【００１５】
以下の説明および添付図面の全体にわたって、同じ参照番号および文字は、同じ要素、フィーチャ、および構造を参照することに留意されたい。
【００１６】
図２および３は、本発明の一実施形態による新規なハイブリッド・ケーブル１００を示す。図２は、ハイブリッド・ケーブル１００の光ファイバ・ケーブル構成要素に関連する詳細を示し、一方、図３は、ハイブリッド・ケーブル１００の電力ケーブル構成要素に関連する詳細を示す。図２および３に示すように、ケーブル１００は、ハイブリッド・ケーブル１００の端部に主要本体部分１００ａと終端部分１００ｂとを含むことができる。終端部分１００ｂは、例えば、ハイブリッド・ケーブル１００をＲＲＨ（図示せず）に接続するために使用することができる。別の終端部分（図示せず）は、例えば、ハイブリッド・ケーブル１００を基地局に接続するためにハイブリッド・ケーブル１００の反対側の端部（図示せず）に設けることができる。
【００１７】
ハイブリッド・ケーブル１００は、複数の光ファイバ・ケーブル対１１０（図２）と、複数のＤＣ電力ケーブル対１２０（図３）とを含むことができる。図２に示すように、光ファイバ・ケーブル対１１０の各々は、第１の電気通信光ファイバ・ケーブル１１２と、第２の電気通信光ファイバ・ケーブル１１４とを含むことができる。図３に示すように、電力ケーブル対１２０の各々は、第１の極性の第１の電力ケーブル１２２と、第２の極性の第２の電力ケーブル１２４とを含むことができる。第１および第２の電力ケーブル１２２、１２４は、例えば、銅線で構成することができる。本発明の１つの実施形態によれば、ハイブリッド・ケーブル１００は、６つの光ファイバ・ケーブル対１１０と、５つの電力ケーブル対１２０とを含むことができる。しかしながら、他の数量の光ファイバ・ケーブル対および電力ケーブル対が可能である。
【００１８】
図２および３を参照すると、光ファイバ・ケーブル対１１０および電力ケーブル対１２０は、ハイブリッド・ケーブル１００の主要本体部分１００ａの耐候性主要外側ジャケット１０２および管状導電性外装部材１０４内に配設することができる。より具体的には、主要ジャケット１０２は外装部材１０４のまわりに配設することができ、外装部材１０４は、光ファイバ・ケーブル対１１０および電力ケーブル対１２０のまわりに配設することができる。主要ジャケット１０２は、例えば、ゴム、ポリマー、ポリエステル、またはナイロンなどの非導電性可撓性材料で構成することができる。外装部材１０４は、波形アルミニウム、または剛性および柔軟性の望ましい組合せをもつ別の導電性材料で構成することができる。外装部材１０４は、光ファイバ・ケーブル１１２、１１４、および電力ケーブル１２２、１２４に構造的保護を与えることができ、追加として、シールドおよび接地を電力ケーブル１２２、１２４に施すことができる。主要ジャケット１０２および外装部材１０４は、主要本体部分１００ａ全体にわたって延びることができる。
【００１９】
図２に示すように、光ファイバ・ケーブル対１１０を、さらに、外装部材１０４の内側の光ファイバ・ケーブル・ジャケットまたはチャネル１０６内に保持することができる。光ファイバ・ケーブル・ジャケットまたはチャネル１０６は、例えば、非導電性プラスチック材料で構成することができる。
【００２０】
引き続き図２および３を参照すると、終端部分１００ｂは、主要本体部分１００ａと終端部分１００ｂとの間に保護移行領域を形成する、主要本体部分１００ａのすぐ隣りの移行セクションＴを含むことができる。外装部材１０４は、外側ジャケット１０２を越えて移行セクションＴ中に軸方向に延びることができ、移行セクションＴの途中で終端することができる。光ファイバ・ケーブル対１１０（図２）および電力ケーブル対１２０（図３）は、外装部材１０４を越えて移行セクションＴに軸方向に延びることができる。図２に示すように、光ファイバ・ケーブル対１１０は、移行セクションＴ内の光ファイバ・ケーブル・ジャケット１０６内にとどまることができる。移行セクションＴ中の光ファイバ・ケーブル・ジャケット１０６の一部分は、高温テープ１３６で巻くことができ、次には、固定スリーブまたはブーツ１３７で覆うことができる。固定スリーブまたはブーツ１３７は、例えば、ゴム、または難燃性ポリオレフィンなどのプラスチック材料で、接着剤を用いて構成することができる。
【００２１】
第１の主要ブレイクアウト・ブーツ１３０は、ハイブリッド・ケーブル１の主要本体部分１ａの端部で外側ジャケット１０２に取り付けることができ、移行セクションＴにおいて外装部材１０４、光ファイバ・ケーブル対１１０、および電力ケーブル対１２０を覆うことができる。主要ブレイクアウト・ブーツ１３０を収容するために、主要本体部分１００ａの端部で外側ジャケット１０２の端部の上に固定スリーブまたはブーツ１０８を配置することができる。固定スリーブまたはブーツ１０８は、例えば、ゴム、または難燃性ポリオレフィンなどのプラスチック材料で、接着剤を用いて、構成することができる。固定スリーブまたはブーツ１０８は、移行セクションＴにおいて外装部材１０４を覆うことができる。主要ブレイクアウト・ブーツ１３０は、固定スリーブまたはブーツ１０８上に嵌合され、例えば、締り嵌め、接着剤、および／または圧着もしくはクランピング手段によって固定スリーブまたはブーツ１０８上に保持され得る。
【００２２】
図４および５に示すように、主要ブレイクアウト・ブーツ１３０は、光ファイバ・ケーブル対１１０を収容する第１のポート１３２と、各々が電力ケーブル対１２０のうちの１つを収容する複数の第２のポート１３４とを含むことができる。５つの電力ケーブル対を含む開示した実施形態では、主要ブレイクアウト・ブーツは、５つの第２のポート１３４を含むことができる。１つの実施形態によれば、ポート１３２、１３４は、中空管状部材とすることができる。主要ブレイクアウト・ブーツ１３０は、例えば、プラスチックまたはゴム材料などの非導電性材料で構成することができる。
【００２３】
図２に戻って、高温テープ１３６および固定スリーブまたはブーツ１３７内に包含される光ファイバ・ケーブル対１１０は、第１のポート１３２を通って延びることができる。テープ１３６および固定スリーブまたはブーツ１３７は、ポート１３２の出口でまたはその近くで終端することができる。光ファイバ・ケーブル対１１０は、第１のポート１３２を出ていく際、終端部分１００ｂの主要ジャケット１０２、外装部材１０４、および主要ブレイクアウト・ブーツ１３０の外に抜け出るかまたは延びることができる。
【００２４】
第２の光ファイバ・ケーブル・ブレイクアウト・ブーツ１４０は、主要ブレイクアウト・ブーツ１３０の第１のポート１３２に取り付けることができる。第２のブレイクアウト・ブーツ１４０は、例えば、ゴムまたはプラスチックなどの非導電性材料で構成することができる。第２のブレイクブーツ１４０は、それぞれの光ファイバ・ケーブル対１１０を収容する１つまたは複数のポート１４２を含むことができる。光ファイバ・ケーブル対１１０がポート１４２を出ていくときにそれぞれの光ファイバ・ケーブル対１１０を案内するために、ブーツまたはスリーブ１４６を各ポート１４２に接続することができる。６つの光ファイバ・ケーブル対１１０を含む一実施形態では、第２のブレイクアウト・ブーツは、６つのポート１４２を含むことができる。光ファイバ・ケーブル対１１０は、それぞれのポート１４２およびスリーブ１４６から別個に抜け出るかまたは延びることができ、次に、例えば、光ファイバ・ケーブル対１１０をＲＲＨに接続するためにそれぞれの光ファイバ・コネクタ１５０に固定することができる。
【００２５】
図３および４を参照すると、各電力ケーブル対１２０は、主要ブレイクアウト・ブーツ１３０のそれぞれの第２のポート１３４を通って延びることができる。図３および６に最もよく示されるように、移行セクションＴ内の所望の区域から終端部分１００ｂの残りの部分の全体をわたって各電力ケーブル対１２０のまわりにシールド・チューブ・アセンブリ１６０を固定することができる。シールド・チューブ・アセンブリ１６０の一部分は、例えば、第２のポート１３４内に締り嵌めまたは摩擦嵌めによって固定することができる。
【００２６】
図３および６を参照すると、シールド・チューブ・アセンブリ１６０は、電力ケーブル対１２０のまわりに配設された中空サポート・チューブ１６２と、中空サポート・チューブ１６２のまわりに配設され、それと接触する第１の導電性シールド部材１６４と、第１の導電性シールド部材１６４のまわりに配設され、それと接触する第２の導電性シールド部材１６６と、第２の導電性シールド部材１６６のまわりに配設されたシールド・チューブ・アセンブリ・ジャケット１６８とを含むことができる。好ましい実施形態によれば、サポート・チューブ１６２はプラスチックで構成することができ、第１の導電性シールド部材１６４はアルミニウムで構成することができ、第２の導電性シールド部材１６６はスズ−銅で構成することができる。最も好ましい実施形態によれば、第１の導電性シールド部材１６４は、サポート・チューブ１６２のまわりに巻かれるアルミホイルで構成することができ、第２の導電性シールド部材１６６は、第１の導電性シールド部材１６４のまわりに巻かれるスズ−銅編組で構成することができる。代替の実施形態によれば、中空サポート・チューブ１６２はアルミニウムなどの導電性材料で構成することができ、第１の導電性シールド部材を形成する（別個の第１の導電性部材１６４の必要性を除去する）ことができ、第２の導電性シールド部材１６６はサポート・チューブ１６２のまわりに隣接して配設することができる。シールド・チューブ・アセンブリ・ジャケット１６８は、例えば、ゴム、プラスチック、ナイロン、ポリエステル、またはポリマー材料で構成することができる。ジャケット１６８は、円滑または波形表面を有することができる。好ましい実施形態によれば、ジャケット１６８は、より大きい曲げ半径を備えるように波形にすることができる。例示的な材料および構造はシールド・チューブ・アセンブリ１６０のために本明細書で提供されているが、他の材料および構造が可能である。
【００２７】
図３および６をさらに参照すると、第２の導電性シールド部材１６６は、主要ブレイクアウト・ブーツ１３０の内側のサポート・チューブ１６２、第１の導電性シールド部材１６４、およびシールド・チューブ・アセンブリ・ジャケット１６８を越えて延びる部分１６６ａを含むことができる。電力ケーブル対１２０は、第２の導電性シールド部材１６６の部分１６６ａの側壁の孔または開口１６７を通って延びることができ、その後、側壁内のスペース１６６ｂを通ってサポート・チューブ１６２の内側に延びることができる。第２の導電性シールド部材１６６の部分１６６ａは、固定スリーブまたはブーツ１０８内の外装部材１０４に横づけして延びることができる。ハイブリッド・ケーブル１００の全体にわたって電力ケーブル１２２、１２４に連続的電気シールドおよび接地を施すために、部分１６６ａは、１つまたは複数の導電性固定部材１７０によって外装部材１０４に接触させて保持することができる。導電性固定部材１７０は、例えば、ステンレス鋼梱包ワイヤとすることができる。梱包ワイヤおよび第２の導電性シールド部材１６６が外装部材１０４に接触するように、梱包ワイヤ１７０を堅く下撚りして、第２の導電性シールド部材１６６を外装部材１０４にしっかり留めることができる。それによって、第２の導電性シールド部材１６６は、外装部材１０４に、および第１の導電性シールド部材１６４とジャケット１６８との間に固定することができる。
【００２８】
引き続き図３および６を参照すると、それぞれの電力ケーブル対１２０を案内するために各ポート１３４にブーツまたはスリーブ１８０を接続することができる。ブーツまたはスリーブ１８０は、例えば、ゴムまたはプラスチック材料などの非導電性材料で構成することができる。電力ケーブル対１２０は、それぞれのシールド・チューブ・アセンブリ１６０内に保持されながら、終端部分１００ｂでそれぞれのポート１３４およびブーツ１８０を介して互いに別個に抜け出るかまたは延びることができる。次に、シールド・チューブ・アセンブリ１６０内に依然として包含されている電力ケーブル対１２０は、例えば、電力ケーブル対１２０をＲＲＨに接続するためにそれぞれの電力ケーブル・コネクタ１９０に固定することができる。
【００２９】
ハイブリッド・ケーブル１００は、簡単で費用対効果の大きい方法で構成することができる。一般的に言えば、主要本体部分１００ａにおいて延びるように外装部材１０４を配列し、主要本体部分１００ａの外装部材１０４のまわりに外側ジャケット１０２を配列し、主要本体部分１００ａの全体にわたって外装部材１０４および外側ジャケット１０２内で延び、終端部分１００ｂで外装部材１０４および外側ジャケット１０２の外に延びるように光ファイバ・ケーブル対１１０を配列し、主要本体部分１００ａの全体にわたって外装部材１０４および外側ジャケット１０２内で延び、終端部分１００ｂで外装部材１０４および外側ジャケット１０２の外に延びるように電力ケーブル対１２０を配列し、それぞれの電力ケーブル対１２０を電気的にシールドするために各シールド・チューブ・アセンブリ１６０をそれぞれの電力ケーブル対１２０に取り付けることによって各シールド・チューブ・アセンブリ１６０を終端部分１００ｂに配列し、各シールド・チューブ・アセンブリ１６０を外装部材１０４に電気的に接地することによってハイブリッド・ケーブル１００を構成することができる。
【００３０】
それぞれの電力ケーブル対１２０のまわりにサポート・チューブ１６２を配列し、サポート・チューブ１６２のまわりに第１の導電性シールド部材１６４を配列し、第１の導電性シールド部材１６４のまわりに第２の導電性シールド部材１６６を配列し、第２の導電性シールド部材１６６のまわりにジャケット１６８を配列することによって、各シールド・チューブ・アセンブリ１６０をそれぞれの電力ケーブル対１２０に取り付けることができる。シールド・チューブ・アセンブリ１６０の構成要素１６２、１６４、１６６、１６８は、オプションとして、それぞれの電力ケーブル対１２０のまわりにサポート・チューブ１６２を配列する前に一緒に完全に組み立てることができる。電力ケーブル対１２０は、電力ケーブル対１２０のまわりにサポート・チューブ１６２を配列する前に第２の導電性シールド部材１６６の側壁の孔１６７を通して挿入することができる。
【００３１】
開示したハイブリッド・ケーブル１００は、光ファイバ・ケーブル１１２、１１４および電力ケーブル１２２、１２４の環境的および物理的な損傷からの効果的な保護と、電力ケーブル１２２、１２４の連続的なシールドと、シールド・チューブ・アセンブリの効果的な接地とを備える。その上、ケーブル１００の特徴は、従来のハイブリッド・ケーブルのサイズ／直径、重量、またはコストを実質的に増加させることなく実現することができる。
【００３２】
本開示は、本発明の例示の実施形態を単に提供していることを理解されたい。当業者は、開示した構成要素、フィーチャ、および方法への変更および変形が、添付した特許請求の範囲に記載された本発明の趣旨および範囲から逸脱することなく行われ得ることを理解されよう。
【図１】
2016532255.tif 000003
【図２】
2016532255.tif 000004
【図３】
2016532255.tif 000005
【図４】
2016532255.tif 000006
【図５】
2016532255.tif 000007
【図６】
2016532255.tif 000008
【国際調査報告】
2016532255.tif 000009
2016532255.tif 000010